【手続補正書】
【提出日】平成18年8月7日(2006.8.7)
【手続補正１】
【補正対象書類名】明細書
【補正対象項目名】請求項１
【補正方法】変更
【補正の内容】
【請求項１】  複数の遊技機が設置可能であり、
前記遊技機の遊技のために使用される遊技媒体を貯留する貯留領域及び該貯留領域における前記遊技媒体の貯留量を検出する貯留量検出手段を備える複数の遊技機設置島と、
該複数の遊技機設置島の稼働状況を管理する管理手段と、
前記複数の遊技機設置島における貯留領域の相互間において前記遊技媒体の送受を行うための遊技媒体送受装置と、
から構成される遊技機設置島システムにおいて、
前記管理手段は、
前記貯留量検出手段による検出結果に基づいて、隣接する遊技機設置島における遊技媒体の貯留量の差を判定し、判定結果に応じて前記遊技媒体送受装置を介して前記遊技媒体の送受を行うことにより、前記隣接する遊技機設置島それぞれの前記貯留領域の遊技媒体の貯留量を調整する調整制御を行う貯留量調整制御手段と、
前記貯留量検出手段による検出結果に基づいて、前記遊技媒体の貯留量が所定の下限貯留量となった貯留領域を特定する特定手段と、
を備え、
前記貯留量調整制御手段は、前記特定手段により前記遊技媒体の貯留量が前記所定の下限貯留量となった貯留領域が特定されたことに基づいて、該特定された貯留領域を有する遊技機設置島に隣接する遊技機設置島および隣接しない他の遊技機設置島にて現在実行中の前記調整制御を中断し、前記特定手段により特定された貯留領域に対して遊技媒体を移送する優先制御を行うことを特徴とする遊技機設置島システム。
【手続補正２】
【補正対象書類名】明細書
【補正対象項目名】０００８
【補正方法】変更
【補正の内容】
【０００８】
【課題を解決するための手段】
上記問題を解決するために、本発明の遊技機設置島システムは、
複数の遊技機が設置可能であり、
前記遊技機の遊技のために使用される遊技媒体を貯留する貯留領域及び該貯留領域における前記遊技媒体の貯留量を検出する貯留量検出手段を備える複数の遊技機設置島と、
該複数の遊技機設置島の稼働状況を管理する管理手段と、
前記複数の遊技機設置島における貯留領域の相互間において前記遊技媒体の送受を行うための遊技媒体送受装置と、
から構成される遊技機設置島システムにおいて、
前記管理手段は、
前記貯留量検出手段による検出結果に基づいて、隣接する遊技機設置島における遊技媒体の貯留量の差を判定し、判定結果に応じて前記遊技媒体送受装置を介して前記遊技媒体の送受を行うことにより、前記隣接する遊技機設置島それぞれの前記貯留領域の遊技媒体の貯留量を調整する調整制御を行う貯留量調整制御手段と、
前記貯留量検出手段による検出結果に基づいて、前記遊技媒体の貯留量が所定の下限貯留量となった貯留領域を特定する特定手段と、
を備え、
前記貯留量調整制御手段は、前記特定手段により前記遊技媒体の貯留量が前記所定の下限貯留量となった貯留領域が特定されたことに基づいて、該特定された貯留領域を有する遊技機設置島に隣接する遊技機設置島および隣接しない他の遊技機設置島にて現在実行中の前記調整制御を中断し、前記特定手段により特定された貯留領域に対して遊技媒体を移送する優先制御を行うことを特徴としている。
この特徴によれば、複数のうちのいずれかの遊技機設置島における貯留領域の貯留量が急激に減少して下限貯留量となったときには、現在実行中の調整制御が中断されて貯留量が下限貯留量となった貯留領域に対して他の貯留領域よりも優先して遊技媒体が移送されることになるため、遊技媒体の貯留量が下限貯留量となった貯留領域を備える遊技機設置島に設置された遊技機への遊技媒体の供給が途絶えることを効果的に防止することが出来る。
【手続補正３】
【補正対象書類名】明細書
【補正対象項目名】００６７
【補正方法】変更
【補正の内容】
【００６７】
この信号を受信した管理コンピュータ４３０は、当該遊技機設置島１の貯留量レベルがＬＶ１となったことを特定し、各遊技機設置島間で行う貯留量の制御プログラムのモードを、貯留量調整制御モードから後述する優先制御モードへ切換え、島コントローラ４２１に対して補給が可能な遊技機設置島１’と連通する球送受用樋４００、４０１に対応する供給手段としての球受用シャッタ４０２を球送受コントローラ４１４を介して開放させる。
【手続補正４】
【補正対象書類名】明細書
【補正対象項目名】０１０２
【補正方法】変更
【補正の内容】
【０１０２】
このように連続する２以上の遊技機設置島における貯留量レベルがＬＶ１となった場合においても、これら貯留量レベルがＬＶ１となった遊技機設置島に対して優先的にパチンコ球が供給されることになるとともに、特に貯留量レベルがＬＶ１となった複数の遊技機設置島の一方が複数の遊技機設置島の最端側に配置された島である場合、端部側の遊技機設置島から優先してパチンコ球が供給されることになる。
【手続補正５】
【補正対象書類名】明細書
【補正対象項目名】０１０９
【補正方法】変更
【補正の内容】
【０１０９】
制御部４３１は、通常時において、複数の遊技機設置島それぞれの島コントローラ４２１を介して入力される貯留量検出センサ４１０ａ〜４１０ｆ、４１１ａ〜４１１ｆの検出信号の入力状況を監視しており、いずれかの遊技機設置島から入力される検出信号が、０個（検出信号の入力なし）〜２個の貯留量検出センサ４１０ａ〜４１０ｆ、４１１ａ〜４１１ｆからの検出信号のみであるか否か、すなわち、貯留量レベルがＬＶ１であるか否かを判定し（Ｓａ１）、貯留量レベルがＬＶ１であると判定したときは、該検出信号に基づいて貯留量レベルがＬＶ１である遊技機設置島の島Ｎｏ．を特定するとともに、タイマカウントを開始する（Ｓａ２）。
【手続補正６】
【補正対象書類名】明細書
【補正対象項目名】０１３１
【補正方法】変更
【補正の内容】
【０１３１】
本発明の請求項１は、複数の遊技機（パチンコ機２）が設置可能であり、
前記遊技機の遊技のために使用される遊技媒体（パチンコ球）を貯留する貯留領域（下部タンク９Ｌ、９Ｒ）及び該貯留領域における前記遊技媒体の貯留量を検出する貯留量検出手段（貯留量検出センサ４１０ａ〜４１０ｆ、４１１ａ〜４１１ｆ）を備える複数の遊技機設置島（１、１’）と、
該複数の遊技機設置島の稼働状況を管理する管理手段（管理コンピュータ４３０）と、
前記複数の遊技機設置島における貯留領域の相互間において前記遊技媒体の送受を行うための遊技媒体送受装置（球送受樋４００、４０１、球受用シャッタ４０２）と、
から構成される遊技機設置島システムにおいて、
前記管理手段は、
前記貯留量検出手段による検出結果に基づいて、隣接する遊技機設置島における遊技媒体の貯留量の差を判定し、判定結果に応じて前記遊技媒体送受装置を介して前記遊技媒体の送受を行うことにより、前記隣接する遊技機設置島それぞれの前記貯留領域の遊技媒体の貯留量を調整する調整制御を行う貯留量調整制御手段（島コントローラ４２１、管理コンピュータ４３０（制御部４３１））と、
前記貯留量検出手段による検出結果に基づいて、前記遊技媒体の貯留量が所定の下限貯留量となった貯留領域を特定する特定手段（島コントローラ４２１、管理コンピュータ４３０（制御部４３１））と、
を備え、
前記貯留量調整制御手段は、前記特定手段により前記遊技媒体の貯留量が前記所定の下限貯留量（貯留量レベル１（ＬＶ１））となった貯留領域が特定されたことに基づいて、該特定された貯留領域を有する遊技機設置島に隣接する遊技機設置島および隣接しない他の遊技機設置島にて現在実行中の前記調整制御を中断し、前記特定手段により特定された貯留領域に対して遊技媒体を移送する優先制御を行う。